(57)【特許請求の範囲】
【請求項１】
シンクを有するカウンタと、
前記カウンタの下方に設けられた食器洗浄機と、
を備え、
前記食器洗浄機は、
前面に前開口部を有する筐体と、
前記筐体に収容されている収容位置と収容されていない非収容位置との間でスライド移動可能であり、上面に上開口部を有する洗浄槽と、
前記洗浄槽の前方に設けられ前記洗浄槽が前記筐体に収容されたときに前記前開口部を覆う扉と、
前記洗浄槽の内部に水を噴射するノズルと、
前記上開口部を通して前記洗浄槽に対して出し入れ可能とされ被洗浄物を収納するカゴと、
を有し、
前記扉は、前記洗浄槽とともに前記筐体に対して、前後方向にスライド可能な構成であって、
前記カゴは、
下カゴと、
前記洗浄槽の内部において前記下カゴよりも上方に配置される上カゴと、
を有し、
前記上カゴは、被洗浄物が収納された状態で前記洗浄槽に対して出し入れ可能且つ前記洗浄槽から取り出した状態で前記シンク内に設置可能とされており、
前記洗浄槽内の前記下カゴよりも上方に取り付けられ、前記上カゴを設置位置に載置するための載置具を備え、
前記載置具は、前記上カゴと別体であり、前記洗浄槽内から前記上カゴを取り出す際には、前記洗浄槽内に取り付けられたままであり、
前記載置具は、前記上カゴが載置された状態で前記上カゴを保持する保持具を備え、
前記上カゴは、前記保持具に前記上カゴが保持されている状態において、前記上カゴの側面と前記洗浄槽の側面との間に両側方ともに隙間が形成されており、
前記洗浄槽に設置された前記上カゴの向きと、前記シンクに設置された前記上カゴの向きが同一方向であることを特徴とするシステムキッチン。
【請求項２】
前記下カゴにおける前記上カゴの下方の空間に収納される被洗浄物よりも高さの高い被
洗浄物を前記下カゴにおける前記上カゴの両側方、または、前方および後方の空間に収納
可能とすることを特徴とする請求項１に記載のシステムキッチン。
【発明の詳細な説明】
【技術分野】
【０００１】
本発明の態様は、一般的に、システムキッチンに関する。
【背景技術】
【０００２】
従来、システムキッチンのキャビネット内に配設され、被洗浄物を洗浄、乾燥する食器洗い機がある（特許文献１）。特許文献１に記載された食器洗い機は、前方に前開口部を有するキャビネットの内部に洗浄槽を備えている。使用者は、キャビネットから洗浄槽を引き出し、洗浄槽内の被洗浄物保持部に被洗浄物を並べた後、洗浄槽を閉じて、被洗浄物を洗浄、乾燥することができる。
【先行技術文献】
【特許文献】
【０００３】
【特許文献１】特開２０１４―２０４７７４号公報
【発明の概要】
【発明が解決しようとする課題】
【０００４】
しかしながら、特許文献１に記載された食器洗い機では、洗浄槽内に被洗浄物保持部が固定されているため、被洗浄物を洗浄、乾燥する際には、使用者は、洗浄槽内の被洗浄物保持部に被洗浄物を１つずつ並べる必要があり、被洗浄物の出し入れに手間がかかっていた。また、被洗浄物の量によっては被洗浄物保持部に被洗浄物を並べるのに数分かかることもあり、カウンタの下のキャビネットに設置するタイプの食器洗い乾燥機では被洗浄物の出し入れの際は上から覗き込むようになるため腰や首を曲げる姿勢となり、被洗浄物の出し入れが使用者の身体への負担となっていた。
【０００５】
本発明は、かかる課題の認識に基づいてなされたものであり、食器洗浄機に対する被洗浄物の出し入れの手間を削減することができるとともに、使用者の身体への負担を軽減することができる食器洗浄機を備えたシステムキッチンを提供することを目的とする。
【課題を解決するための手段】
【０００６】
第１の発明は、シンクを有するカウンタと、前記カウンタの下方に設けられた食器洗浄機と、を備え、前記食器洗浄機は、前面に前開口部を有する筐体と、前記筐体に収容されている収容位置と収容されていない非収容位置との間でスライド移動可能であり、上面に上開口部を有する洗浄槽と、前記洗浄槽の前方に設けられ前記洗浄槽が前記筐体に収容されたときに前記前開口部を覆う扉と、前記洗浄槽の内部に水を噴射するノズルと、前記上開口部を通して前記洗浄槽に対して出し入れ可能とされ被洗浄物を収納するカゴと、を有し、前記扉は、前記洗浄槽とともに前記筐体に対して、前後方向にスライド可能な構成であって、前記カゴは、下カゴと、前記洗浄槽の内部において前記下カゴよりも上方に配置される上カゴと、を有し、前記上カゴは、被洗浄物が収納された状態で前記洗浄槽に対して出し入れ可能且つ前記洗浄槽から取り出した状態で前記シンク内に設置可能とされており、前前記洗浄槽内の前記下カゴよりも上方に取り付けられ、前記上カゴを設置位置に載置するための載置具を備え、前記載置具は、前記上カゴと別体であり、前記洗浄槽内から前記上カゴを取り出す際には、前記洗浄槽内に取り付けられたままであり、前記載置具は、前記上カゴが載置された状態で前記上カゴを保持する保持具を備え、前記上カゴは、前記保持具に前記上カゴが保持されている状態において、前記上カゴの側面と前記洗浄槽の側面との間に両側方ともに隙間が形成されており、前記洗浄槽に設置された前記上カゴの向きと、前記シンクに設置された前記上カゴの向きが同一方向であることを特徴とするシステムキッチンである。
【０００７】
このシステムキッチンによれば、上カゴは、被洗浄物が収納された状態で洗浄槽に対し
て出し入れ可能である。そのため、使用者は、上カゴをカウンタやシンクに設置して水切
りカゴとして用いることができ、被洗浄物をカウンタやシンクに設置された状態の上カゴ
に収納し、汚れた食器が収納された上カゴをそのまま食器洗浄機に移動して洗浄すること
ができる。これにより、例えば食器や調理器具などの被洗浄物を１つずつ食器洗浄機にセ
ットする手間を削減することができ、従来のように上カゴが、被洗浄物が収納された状態
で洗浄槽に対して出し入れできない場合に比べて、食事の後片付けをより短時間で行うこ
とができる。よって、食器洗浄機に対する被洗浄物の出し入れの手間を削減することがで
きるとともに、使用者の身体への負担を軽減することができる。
また、上カゴは、上カゴの側面と洗浄槽の側面との間に隙間が形成されるように構成されている。そのため、洗浄槽から被洗浄物が収納された上カゴを取り出す際には、使用者は、上カゴの側面と洗浄槽の側面との間に形成された隙間に手を差し入れて上カゴを掴むことで、洗浄槽から上カゴを取り出すことができる。一方、洗浄槽に被洗浄物が収納された上カゴを設置する際には、使用者は、上カゴを掴んだまま洗浄槽に上カゴを設置することができる。さらに、上カゴの側面と洗浄槽の側面との間に隙間が形成されていることで、下カゴにおける上カゴの側方の空間に比較的高さの高い被洗浄物を収納することができる。よって、使用者は洗浄槽に対して容易に上カゴを出し入れすることができるとともに、洗浄槽の空間を有効に活用することができる。
さらに、、上カゴは、洗浄槽から取り出した状態でシンク内に設置可能とされており洗浄槽に上カゴが設置されている状態において、上カゴは、左右方向おける幅の少なくとも一部が洗浄槽内の左右方向における幅よりも小さくなるように形成されており、洗浄槽に設置された上カゴの向きと、シンクに設置された上カゴの向きが同一方向である。ここで、一般的に、食器洗浄機は、シンクの隣に配設される。その場合、シンクに設置された上カゴの向きが洗浄槽に設置された上カゴの向きと異なると、使用者は、シンクから洗浄槽に、あるいは、洗浄槽からシンクに上カゴを移動させるためには、身体を約９０度回転させる必要がある。その際、食器や調理器具などの被洗浄物が上カゴに収納されているため、上カゴの重量は、比較的重い。そのため、使用者は腰をひねってしまうことも考えられる。これに対して、本発明のシステムキッチンによれば、使用者は、シンクに設置された上カゴをシンクに設置された向きと同じ向きのまま洗浄槽に設置すればよい。そのため、使用者は、食器や調理器具などの被洗浄物が収納された比較的重い上カゴを身体の向きを変えることなくシンクとベース部との間で移動させることができる。これにより、身体への負担をより一層軽減することができる。
【０００８】
また、このシステムキッチンによれば、洗浄槽内の下カゴよりも上方に取り付けられ、上カゴを設置位置に載置するための載置具を備え、載置具は、上カゴと別体であり、洗浄槽内から上カゴを取り出す際には、洗浄槽内に取り付けられたままである。そのため、上カゴを直接洗浄槽内に載置するよりも載置具を介して間接的に上カゴを洗浄槽内に載置した方が、被洗浄物が上カゴに収納された状態でも使用者は楽に上カゴを洗浄槽内に載置することができるとともに、より安定した状態で上カゴを洗浄槽内に載置することができる。
さらに、載置具は上カゴが載置された状態で上カゴを保持する保持具を備える。そのため、載置具に対する上カゴの載置位置のズレを防止することができ、上カゴを載置具の最適な位置に保持することができる。
【００１６】
第２の発明は、第１の発明において、前記下カゴにおける前記上カゴの下方の空間に収納される被洗浄物よりも高さの高い被洗浄物を前記下カゴにおける前記上カゴの両側方、または、前方および後方の空間に収納可能とすることを特徴とするシステムキッチンである。
【００１７】
このシステムキッチンによれば、上カゴは、洗浄槽に上カゴが設置されている状態において、上カゴの左右方向における両端面または前後方向における両端面と、洗浄槽の側面との間に隙間が形成されるように構成されており、下カゴにおける上カゴの下方の空間に収納される被洗浄物よりも高さの高い被洗浄物を下カゴにおける前記上カゴの両側方、または、前方および後方の空間に収納可能である。そのため、使用者は洗浄槽に対する上カゴの出し入れを両手で行うことができるとともに、上カゴの左右方向における両端面または前後方向における両端面と、洗浄槽の側面との間に形成された隙間に比較的高さの高い被洗浄物を収納することができる。よって、身体への負担をより一層軽減することができるとともに、洗浄槽の空間を有効に活用することができる。
【発明の効果】
【００１８】
本発明の態様によれば、食器洗浄機に対する被洗浄物の出し入れの手間を削減することができるとともに、使用者の身体への負担を軽減することができる食器洗浄機を備えたシステムキッチンを提供される。
【図面の簡単な説明】
【００１９】
【図１】本発明の実施の形態にかかる食器洗浄機を備えたシステムキッチンを表す模式的斜視図である。
【図２】本実施形態にかかるシステムキッチンを上方から眺めた模式的平面図である。
【図３】本実施形態にかかる洗浄槽を上方から眺めた模式的平面図である。
【図４】本実施形態にかかるシステムキッチンを右側方から眺めた模式的平面図である。
【図５】本実施形態にかかるシステムキッチンを前方から眺めた模式的平面図である。
【図６】本実施形態にかかるシステムキッチンのシンクを右側方から眺めた模式的平面図である。
【発明を実施するための形態】
【００２０】
以下、本発明の実施の形態について図面を参照しつつ説明する。なお、各図面中、同様の構成要素には同一の符号を付して詳細な説明は適宜省略する。
図１は、本発明の実施の形態にかかる食器洗浄機を備えたシステムキッチンを表す模式的斜視図である。
図２は、本実施形態にかかるシステムキッチンを上方から眺めた模式的平面図である。
図３は、本実施形態にかかる洗浄槽を上方から眺めた模式的平面図である。
図４は、本実施形態にかかるシステムキッチンを右側方から眺めた模式的平面図である。
図５は、本実施形態にかかるシステムキッチンを前方から眺めた模式的平面図である。
図６は、本実施形態にかかるシステムキッチンのシンクを右側方から眺めた模式的平面図である。
なお、図２および図３について、本実施形態では、上カゴ３３０は１つであるが、便宜上、上カゴ３３０を食器洗浄機３００と、シンク２１０と、の両方に図示している。
また、図１、図２、および図４は、扉３０５が開いた状態、すなわち洗浄槽３０３が筐体３０１に収容されていない非収容位置での状態を表している。
また、図５は、便宜上、扉３０５の図示を省略している。
【００２１】
図１に表したシステムキッチン１００は、カウンタ２００と、食器洗浄機３００と、を備える。カウンタ２００は、シンク２１０を有する。例えば、シンク２１０の後部には、水栓（図示なし）が設けられている。
本願明細書においては、システムキッチン１００の前においてシンク２１０と向き合う使用者からみて手前側を「前方」とし、奥側を「後方」とし、上側を「上方」とし、下側を「下方」とし、右側を「右側方」とし、左側を「左側方」とする。
【００２２】
食器洗浄機３００は、カウンタ２００の下方に設けられている。より具体的には、食器洗浄機３００は、カウンタ２００の下方に組み込まれている。食器洗浄機３００は、筐体３０１と、洗浄槽３０３と、扉３０５と、カゴ３１０と、を有する。筐体３０１は、前面に前開口部３０２を有する。洗浄槽３０３は、上面に上開口部３０４を有し、洗浄槽３０３は、筐体３０１に収容されている収容位置と収容されていない非収容位置との間でスライド移動可能である。扉３０５は、洗浄槽３０３と一体となるように構成されており、洗浄槽３０３が筐体３０１に収容されたときに前開口部３０２を覆うものである。図１および図２に表した矢印Ａ１のように、洗浄槽３０３および扉３０５は、筐体３０１に対して前後方向にスライド移動可能である。
【００２３】
カゴ３１０は、例えば食器や調理器具などの被洗浄物（図示なし）を収納し、上開口部３０４を通して洗浄槽３０３に対して出し入れ可能とされている。カゴ３１０は、下カゴ３２０と、上カゴ３３０と、を有する（例えば、図３を参照）。下カゴ３２０は、洗浄槽３０３の内部において、上カゴ３３０よりも下方に配置される。上カゴ３３０は、洗浄槽３０３の内部において、下カゴ３２０よりも上方に配置される。上カゴ３３０は、被洗浄物が収納された状態で上開口部３０４を通して洗浄槽３０３に対して出し入れ可能とされている。
【００２４】
図２〜５に表したように、本実施形態の食器洗浄機３００は、載置具３４０を有する。載置具３４０は、長辺３４４と、短辺３４５と、を有する。長辺３４４は、短辺３４５の長さよりも長い。載置具３４０は、短辺３４５側の両端部が洗浄槽３０３の内部に形成された段部３０６に載置可能となるように形成されている。段部３０６は、洗浄槽３０３の内部の前方側および後方側に形成されており、洗浄槽３０３の内部において下カゴ３２０よりも上方に形成されている。そのため、載置具３４０は、洗浄槽３０３の内部において、下カゴ３２０よりも上方に位置することとなる。また、段部３０６は、左右方向における長さが、載置具３４０の短辺の長さと略同じ長さである。そのため、載置具３４０を洗浄槽３０３の所定の位置に設置することができる。また、載置具３４０は、上カゴ３３０を載置することができる。言い換えれば、上カゴ３３０は、載置具３４０に保持あるいは支持され、食器洗浄機３００に設置される。
【００２５】
図５に表したように、載置具３４０は、底部３４１と、側部（保持具）３４３と、を有する。底部３４１は、線材が格子状に組み込まれた構造を有し、上カゴ３３０を比較的広い範囲で受けることができる。側部３４３は、底部３４１の左右方向における両端部に形成されており、上カゴ３３０が載置具３４０の底部３４１に載置された状態で上カゴ３３０を保持するものである。載置具３４０により、上カゴ３３０は設置位置（例えば、図３参照）に設置することができる。また、側部３４３により上カゴ３３０を載置具３４０の所定の位置に案内することができる。
【００２６】
図１および図２に表した矢印Ａ２のように、使用者は、洗浄槽３０３の段部３０６に載置された載置具３４０から上カゴ３３０を取り外し、シンク２１０に設置することができる。つまり、上カゴ３３０は、載置具３４０を洗浄槽３０３内に取り付けたまま、載置具３４０に対して着脱可能とされている。上カゴ３３０は、載置具３４０を介して洗浄槽３０３に対して間接的に着脱可能とされている。
【００２７】
図２および図３に表したように、上カゴ３３０は、長辺３３３と、短辺３３４と、を有する。長辺３３３の長さは、短辺３３４の長さよりも長い。つまり、載置具３４０に保持された状態の上カゴ３３０あるいはシンク２１０に設置された状態の上カゴ３３０を上方からみたとき、上カゴ３３０は、略長方形を呈する。上カゴ３３０がシンク２１０に設置された状態では、長辺３３３は、前後方向に延在する。上カゴ３３０がシンク２１０に設置された状態では、短辺は、左右方向に延在する。
上カゴ３３０は、係止片３３１を有する。係止片３３１は、上カゴ３３０の上方の端部に設けられている。係止片３３１は、前係止片３３１ａと、後係止片３３１ｂと、を有する。前係止片３３１ａは、一方の短辺３３４に設けられている。後係止片３３１ｂは、他方の短辺３３４に設けられている。係止片３３１は、上カゴ３３０がシンク２１０に配置されるときにシンク２１０の周縁に引っ掛かる（例えば、図１参照）。具体的には、シンク２１０の周縁に形成された段落ち部２１１に係止片３３１が引っ掛かる。段落ち部２１１は、シンク２１０の上端部に形成されており、シンク２１０に上カゴ３３０を設置した際に、上カゴがシンク２１０から突出しないようにするためのものである（例えば、図６参照）。
【００２８】
図２および図３に表したように、上カゴ３３０が載置具３４０に保持された状態では、長辺３３３は、前後方向に延在する。上カゴ３３０が載置具３４０に保持された状態では、短辺３３４は、左右方向に延在する。つまり、上カゴ３３０が載置具３４０に保持された状態では、上カゴ３３０の長手方向は、前後方向と略平行している。
【００２９】
図２〜５に表したように、本実施形態の食器洗浄機３００の洗浄槽３０１の内部には、ノズル３６０が設けられている。ノズル３６０は、洗浄槽３０１の内部に洗浄水を噴射する。本実施形態の食器洗浄機３００は、１つのノズル３６０を有する。但し、ノズル３６０の設置数は、１つに限定されず、複数であってもよい。
【００３０】
本実施形態では、ノズル３６０は、洗浄槽３０１の底面３０３ａに設けられている。底面３０３ａに設けられたノズル３６０は、洗浄水を噴射すると、水平方向に回転する。つまり、底面３０３ａに設けられたノズル３６０は、回転式のノズルである。
【００３１】
本実施形態によれば、上カゴ３３０は、被洗浄物が収納された状態で洗浄槽３０３に対して出し入れ可能である。そのため、使用者は、上カゴ３３０をカウンタ２００やシンク２１０に設置して水切りカゴとして用いることができ、汚れた食器（洗浄前の食器）をカウンタ２００やシンク２１０に設置された状態で上カゴ３３０に収納し、汚れた食器が収納された上カゴ３３０をそのまま食器洗浄機３００に移動して洗浄することができる。これにより、例えば食器や調理器具などの被洗浄物を１つずつ食器洗浄機３００にセットする手間を削減することができ、従来のように、上カゴ３３０が、被洗浄物が収納された状態で洗浄槽３０３に対して出し入れ可能でない場合に比べて、食事の後片付けをより短時間で行うことができる。よって、食器洗浄機３００に対する被洗浄物の出し入れの手間を削減することができるとともに、使用者の身体への負担を軽減することができる。
【００３２】
また、洗浄槽３０３の内部から上カゴ３３０を取り出す際には、載置具３４０は、洗浄槽３０３の内部に取り付けられたままである。使用者は、上カゴ３３０をシンク２１０から移動させ載置具３４０に載せることで、上カゴ３３０を食器洗浄機３００にセットすることができる。そのため、上カゴ３３０を直接洗浄槽３０３内に載置するよりも、載置具３４０を介して間接的に上カゴ３３０を洗浄槽３０３内に載置した方が、使用者は楽に上カゴ３３０を洗浄槽３０３内に載置することができるとともに、より安定した状態で上カゴ３３０を洗浄槽３０３内に載置することができる。
【００３３】
また、載置具３４０の底部３４１は、線材が格子状に組み込まれた構造を有する。そのため、上カゴ３３０が載置具３４０をすり抜けて落下することはない。これにより、上カゴ３３０の落下をより確実に防止することができる。また、ノズル３６０から噴射された水は、上カゴ３３０に収納された被洗浄物に直接当たることができる。これにより、食器洗浄機３００は、載置具３４０の底部に載せた上カゴ３３０に収納された被洗浄物を水流によって洗浄して、上カゴ３３０に収納した被洗浄物についても汚れ落とし性能を発揮することができる。なお、ノズル３６０とは別に、載置具３４０の直下にノズルを設けることで、上カゴ３３０に収納した被洗浄物についても汚れ落とし性能を十分発揮することができる。
【００３４】
また、載置具３４０は上カゴ３３０が載置された状態で上カゴ３３０を保持する側部（保持具）３４３を備える。そのため、載置具４０に対する上カゴ３３０の載置位置のズレを防止することができ、上カゴ３３０を載置具３４０の最適な位置に保持することができる。
【００３５】
本実施形態では、図２〜４に関して前述したように、載置具３４０は、底部３４１と、側部３４３と、を有する。底部３４１は、上カゴ３３０の落下を防止する。側部３４３は、上カゴ３３０が載置具３４０の底部３４１に載置された状態で上カゴ３３０を保持するものである。図３に表したように、載置具３４０の長辺３４４の方向の長さは、上カゴ３３０の長辺３３３の方向の長さよりも長い。載置具３４０の短辺３４５の方向の長さは、上カゴ３３０の長辺３３３の方向の長さよりも短い。これにより、上カゴ３３０は、その長辺３３３の方向を、載置具３４０の前後方向に合わせたときに載置具３４０に設置することができる。
【００３６】
図３および図５に表したように、上カゴ３３０は、洗浄槽３０３に上カゴ３３０が設置されている状態において、上カゴ３３０の側面３３０ａと洗浄槽３０３の側面３０３ｂとの間に隙間が形成されるように構成されている。上カゴ３３０は、左右方向における幅Ｄ１が洗浄槽３０３内の左右方向における幅Ｄ２よりも小さくなるように形成されている。
本実施形態では、載置具３４０の左右方向における中心位置Ｃが洗浄槽３０３の内部の左右方向における中央位置Ｃと同じとなるように、載置具３４０が洗浄槽３０３内に載置されている。そのため、上カゴ３３０は、洗浄槽３０３に上カゴ３３０が設置されている状態、言い換えると、載置具３４０に載置されている状態において、上カゴは、上カゴ３３０の両側方（左右方向）の端面３３０ａと洗浄槽３０３の側面３０３ｂとの間に隙間が形成される。図５に表したように、下カゴ３２０における上カゴ３３０の下方の空間Ｂ１よりも下カゴにおける上カゴ３３０の両側方の空間Ｂ２の方が空間の上下方向の高さが高い。その結果として、下カゴ３２０における上カゴ３３０の下方の空間Ｂ１に収納される被洗浄物よりも高さの高い被洗浄物を下カゴにおける上カゴ３３０の両側方の空間Ｂ２に収納可能である。
【００３７】
本実施形態によれば、上カゴ３３０は、上カゴ３３０の側面３３０ａと洗浄槽３０３の側面３０３ｂとの間に隙間が形成されるように構成されている。そのため、洗浄槽３０３から被洗浄物が収納された上かご３３０を取り出す際には、使用者は、上カゴ３３０の側面３３０ａと洗浄槽３０３の側面３０３ｂとの間に形成された隙間に手を差し入れて上カゴ３３０を掴むことで、洗浄槽３０３から上カゴ３３０を取り出すことができる。一方、洗浄槽３０３に被洗浄物が収納された上カゴ３３０を設置する際には、使用者は、上カゴ３３０を掴んだまま洗浄槽３０３に上カゴ３３０を設置することができる。さらに、上カゴ３３０の側面３３０ａと洗浄槽３０３の側面３０３ｂとの間に形成された隙間に比較的高さの高い被洗浄物を収納することができる。よって、上カゴ３３０に被洗浄物が収納された状態であっても、使用者は洗浄槽３０３に対して容易に上カゴ３３０を出し入れすることができるとともに、洗浄槽３０３の空間を有効に活用することができる。なお、比較的高さの高い被洗浄物は、例えば、丸型の大皿であり、上カゴ３３０を掴む際に邪魔にはならないものである。
【００３８】
さらに、本実施形態では、上カゴ３３０は、洗浄槽３０３に上カゴ３３０が設置されている状態において、上カゴ３３０の両側方の端面３３０ａと洗浄槽３０３の側面３０３ｂとの間に隙間が形成されるように構成されている。そのため、使用者は洗浄槽３０３に対する上カゴ３３０の出し入れを両手で行うことができる。また、下カゴ３２０における上カゴ３３０の下方の空間に収納される被洗浄物よりも高さの高い被洗浄物を下カゴ３２０における上カゴ３３０の両側方の空間に収納可能である。そのため、上カゴの両側方の端面３３０ａと洗浄槽の側面３０３ｂとの間に形成された隙間に比較的高さの高い被洗浄物を収納することができる。よって、身体への負担をより一層軽減することができるとともに、洗浄槽の空間を有効に活用することができる。
【００３９】
一方で、食器洗浄機３００は、シンク２１０の隣に配設される。その場合、シンク２１０の周縁に係止させた上カゴ３３０の向きが載置具３４０に載せた上カゴ３３０の向きと異なると、使用者は、シンク２１０から載置具３４０に、あるいは、載置具３４０からシンク２１０に上カゴ３３０を移動させるためには、身体を約９０度回転させる必要がある。その際、食器や調理器具などの被洗浄物が上カゴ３３０に収納されているため、上カゴ３３０の重量は、比較的重い。そのため、使用者は、腰をひねってしまうことも考えられる。これに対して、本実施形態では、使用者は、シンク２１０の周縁に係止された上カゴ３３０を、シンク２１０の周縁に係止された向きと同じ向きのまま載置具３４０に載せればよい。言い換えると、洗浄槽３０３に設置された上カゴ３３０の向きと、シンク２１０に設置された上カゴ３３０の向きが同一方向である。そのため、使用者は、食器や調理器具などの被洗浄物が収納された比較的重い上カゴ３３０を、身体の向きを変えることなくシンク２１０と載置具３４０との間で移動させることができる。これにより、身体への負担をより一層軽減することができる。
【００４０】
次に、片付け作業の一例について、図面を参照しつつ説明する。
図１に表したように、下カゴ３２０および載置具３４０が設置された洗浄槽３０３が筐体３０１に収納された状態から、使用者は、扉３０５の取っ手を持って洗浄槽３０３を前方へスライド移動させて、筐体３０１から引き出す。ここで、洗浄槽３０３は、図示しないスライドレールにより前後方向にスライド移動可能である。
使用者が洗浄槽３０３を前方へさらに引き出すと、筐体３０１に対して洗浄槽３０３のスライド移動が停止する。
【００４１】
なお、図１〜５に表した例では、上カゴ３３０は、載置具３４０に載置されている。但し、図１〜５に表した状態において、上カゴ３３０は、載置具３４０に載置されておらず、シンク２１０やカウンタ２００に設置されていてもよい。
【００４２】
図６に表したように、上カゴ３３０は、カウンタ２００のシンク２１０に配置されている。このとき、前係止片３３１ａおよび後係止片３３１ｂが、シンク２１０の周縁に引っ掛かっている。あるいは、上カゴ３３０が載置具３４０に載置されていた場合には、使用者は、上カゴ３３０を載置具３４０から取り外し、上カゴ３３０をカウンタ２００のシンク２１０に配置する。
【００４３】
使用者は、シンク２１０の任意の位置に上カゴ３３０を配置することができる。図２に表したように、使用者は、前方からみて左側のシンク２１０に上カゴ３３０を配置することができる。あるいは、使用者は、前方からみて右側のシンク２１０に上カゴ３３０を配置することができる。このように、使用者は、前係止片３３１ａおよび後係止片３３１ｂをシンク２１０の周縁に引っ掛けることで、好みに応じた位置に上カゴ３３０を配置することができる。なお、後係止片３３１ｂは、シンク２１０の周縁に代えて、シンク２１０に取り付けられた洗剤ラック等に引っ掛けられてもよい。
【００４４】
続いて、使用者は、被洗浄物を下カゴ３２０に収納する。この際、図５に表したように、洗浄槽３０３に上カゴ３３０が設置された状態において、下カゴにおける上カゴの下方の空間Ｂ１に比較的高さの低い被洗浄物（例えば、中皿や小皿など）を収納する。一方、下カゴにおける上カゴの両側方の空間Ｂ２に比較的高さの高い被洗浄物（例えば、大皿など）を収納する。
【００４５】
続いて、載置具３４０を洗浄槽３０３の段部３０６に載せる。その後、使用者は、被洗浄物（例えば、茶碗、お椀、湯飲みなど）を上カゴ３３０に収納し、被洗浄物が収納された上カゴ３３０を載置具３４０へ載置する。ここで、図３に表したように、上カゴ３３０は、左右両側に持ち手３３６を有する。持ち手３３６は、例えば上カゴ３３０を形成する線材のうちで長辺３３３の最上部の線材部分である。使用者は、上カゴ３３０の持ち手３３６を持って被洗浄物が収納された上カゴ３３０を載置具３４０へ移動させることができる。
【００４６】
続いて、使用者は、食器洗浄機３００の扉３０５を押すことで、洗浄槽３０３を筐体３０１の内部に収納する。
【００４７】
なお、本実施形態では、上カゴ３３０は載置具３４０により洗浄槽３０３内に設置されているが、上カゴ３３０を直接洗浄槽３０３内に設置してもよい。その場合、例えば、上カゴ３３０の底部に、洗浄槽３０３の段部３０６およびシンク２１０の周縁に係止される係止部を形成すればよい。上カゴ３３０を直接洗浄槽３０３内に設置可能となるように構成していることで、別部品を設ける必要がない。
【００４８】
また、本実施形態では、洗浄槽３０３の段部３０６に載せた載置具３４０に上カゴ３３０を載置することで、上カゴ３３０を洗浄槽３０３内に設置しているが、これに限らない。例えば、載置具３４０が洗浄槽３０３内部に固定されていてもよい。この場合、載置具３４０は、折りたたみ式や回動式など、下カゴ３２０に被洗浄物を収納する際に邪魔にならないような構成にする必要がある。また、載置具３４０の長辺方向の長さは、上カゴ３３０の長辺方向の長さよりも短くてもよく、載置具３４０は複数であってもよい。
【００４９】
また、本実施形態では、洗浄槽３０３に上カゴ３３０が設置されている状態において、上カゴ３３０の左右方向における両端面３３０ａと洗浄槽３０３の側面３０３ｂとの間に隙間が形成されるよう上カゴ３３０が構成されているが、それに限らない。例えば、洗浄槽３０３に上カゴ３３０が設置されている状態において、上カゴ３３０の前後方向における両端面と洗浄槽３０３の前面および背面との間に隙間が形成されるように上カゴ３３０が構成されていてもよいし、洗浄槽３０３に上カゴ３３０が設置されている状態において、上カゴ３３０は、少なくとも一部が、一部上カゴ３３０の左右方向における両端面または前後方向における両端面と、洗浄槽の側面との間に隙間が形成されるように構成されていてもよい。例えば、洗浄槽３０３に上カゴ３３０が設置されている状態において、上カゴ３３０の前後方向における両端面と洗浄槽３０３の前面および背面との間に隙間が形成されるように上カゴ３３０が構成されている場合、下カゴ３２０における上カゴ３３０の下方の空間よりも下カゴにおける上カゴ３３０の前方および後方の空間の方が空間の上下方向の高さが高くなる。その結果、下カゴ３２０における上カゴ３３０の下方の空間に収納される被洗浄物よりも高さの高い被洗浄物を下カゴにおける上カゴ３３０の前方および後方の空間に収納可能である。
【００５０】
また、本実施形態では、段部３０６は、左右方向における長さが、載置具３４０の短辺の長さと略同じ長さであるが、それに限らない。段部３０６は、左右方向における長さが、載置具３４０の短辺の長さよりも長くてもよい。その場合、載置具３４０は、段部３０６上を左右方向（矢印Ａ３の方向）にスライド移動可能である。そのため、載置具３４０は、段部３０６であれば好みの位置に短辺３４４側の両端部を載置することができる。なお、載置３４０を上カゴ３３０が載った状態で段部３０６上をスライド移動させる際は、上カゴ３３０は、載置具３４０とともに移動する。
【００５１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１００および食器洗浄機３００などが備える各要素の形状、寸法、材質、配置などや上カゴ３３０およびベース部３４０の設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１００    システムキッチン
２００    カウンタ
２１０    シンク
２１１    段落ち部
３００    食器洗浄機
３０１    筐体
３０２    前開口部
３０３    洗浄槽
３０３ａ    底面
３０３ｂ    側面
３０４    上開口部
３０５    扉
３１０    カゴ
３２０    下カゴ
３３０    上カゴ
３３０ａ    側面
３３１    係止片
３３１ａ    前係止片
３３１ｂ    後係止片
３３３    長辺
３３４    短辺
３３６    持ち手
３４０    載置具
３４１    底部
３４３    側部（保持具）
３４４    長辺
３４５    短辺
３０６    段部
３６０    ノズル
【図１】
0006661946.tif 000002
【図２】
0006661946.tif 000003
【図３】
0006661946.tif 000004
【図４】
0006661946.tif 000005
【図５】
0006661946.tif 000006
【図６】
0006661946.tif 000007